(57)【要約】  【課題】チェーンケース内の油の漏れを適切に防止できるタイトナ押し装置を提供する。  【解決手段】タイトナ押し装置30は、チェーンケース16の開口部40の内周側に嵌合するボルト受体41を備え、ボルト受体41はねじ溝部44およびパッキング用周溝部45を内周面に有する。ボルト受体41のねじ溝部44には、タイトナをチェーン側に向けて押すボルト体51を螺合する。ボルト受体41のパッキング用周溝部45内には、チェーンケース16内の油がボルト受体41およびボルト体51間の隙間から漏れ出すのを防止するパッキング体60を配設する。  【選択図】図３
2006197869.tif 000002
【特許請求の範囲】
【請求項１】
タイトナを押してチェーンケース内のチェーンに所望の張力を付与するタイトナ押し装置であって、
ねじ溝部およびパッキング用周溝部を内周面に有し、前記チェーンケースの開口部の内周側に嵌合されるボルト受体と、
このボルト受体の前記ねじ溝部に螺合され、前記タイトナを前記チェーン側に向けて押すボルト体と、
前記ボルト受体の前記パッキング用周溝部内に配設され、前記チェーンケース内の油が前記ボルト受体および前記ボルト体間の隙間から漏れ出すのを防止するパッキング体と
を備えることを特徴とするタイトナ押し装置。
【請求項２】
ボルト受体に対するボルト体の回動を規制するとともに前記ボルト受体の端面開口部を閉鎖する回り止め兼キャップ体を備える
ことを特徴とする請求項１記載のタイトナ押し装置。
【請求項３】
ボルト受体は、内周面に軸方向に延びる内溝部を有し、
ボルト体は、外周面に軸方向に延びる外溝部を有し、
回り止め兼キャップ体は、
前記ボルト受体に脱着可能に取着され、前記ボルト受体の端面開口部を閉鎖するキャップ部と、
このキャップ部から突出し、前記内溝部内および前記外溝部内に挿通され、前記ボルト受体に対する前記ボルト体の回動を規制する杆部とを有する
ことを特徴とする請求項２記載のタイトナ押し装置。
【発明の詳細な説明】
【技術分野】
【０００１】
本発明は、チェーンケース内の油の漏れを適切に防止できるタイトナ押し装置に関するものである。
【背景技術】
【０００２】
従来からサイドドライブ式のロータリ耕耘装置においては、チェーンに張りを与えるタイトナがチェーンケース内に配設される（例えば、特許文献１参照）。そして、例えば図１１に示すように、タイトナ１を押してチェーンケース２内のチェーン３に所望の張力を付与するタイトナ押し装置４を設けることがある。
【０００３】
この図１１に示すタイトナ押し装置４は、チェーンケース２に固設されたナット５と、このナット５に螺合されタイトナ１をチェーン３側に向けて押すボルト６と、このボルト６の外周側に嵌合されロックナット７にてチェーンケース２の開口部周縁に押し付けられるＯリングワッシャ８とを備えている。
【特許文献１】特開２００４−１６０８５号公報
【発明の開示】
【発明が解決しようとする課題】
【０００４】
しかしながら、上記従来のタイトナ押し装置４では、チェーンケース２内の油がボルト６のねじ部の谷とＯリングワッシャ８との間の隙間から漏れ出すおそれがある。
【０００５】
本発明は、このような点に鑑みなされたもので、チェーンケース内の油の漏れを適切に防止できるタイトナ押し装置を提供することを目的とする。
【課題を解決するための手段】
【０００６】
請求項１記載のタイトナ押し装置は、タイトナを押してチェーンケース内のチェーンに所望の張力を付与するタイトナ押し装置であって、ねじ溝部およびパッキング用周溝部を内周面に有し、前記チェーンケースの開口部の内周側に嵌合されるボルト受体と、このボルト受体の前記ねじ溝部に螺合され、前記タイトナを前記チェーン側に向けて押すボルト体と、前記ボルト受体の前記パッキング用周溝部内に配設され、前記チェーンケース内の油が前記ボルト受体および前記ボルト体間の隙間から漏れ出すのを防止するパッキング体とを備えるものである。
【０００７】
そして、ボルト受体のパッキング用周溝部内に配設されチェーンケース内の油がボルト受体およびボルト体間の隙間から漏れ出すのを防止するパッキング体を備えるため、チェーンケース内の油の漏れを適切に防止することが可能である。
【０００８】
請求項２記載のタイトナ押し装置は、請求項１記載のタイトナ押し装置において、ボルト受体に対するボルト体の回動を規制するとともに前記ボルト受体の端面開口部を閉鎖する回り止め兼キャップ体を備えるものである。
【０００９】
そして、ボルト受体に対するボルト体の回動を規制するとともにボルト受体の端面開口部を閉鎖する回り止め兼キャップ体を備えるため、回り止め部材とキャップ部材とをそれぞれ別体にした場合に比べて、部品点数が少なくなり、組立て作業が容易になる。
【００１０】
請求項３記載のタイトナ押し装置は、請求項２記載のタイトナ押し装置において、ボルト受体は、内周面に軸方向に延びる内溝部を有し、ボルト体は、外周面に軸方向に延びる外溝部を有し、回り止め兼キャップ体は、前記ボルト受体に脱着可能に取着され、前記ボルト受体の端面開口部を閉鎖するキャップ部と、このキャップ部から突出し、前記内溝部内および前記外溝部内に挿通され、前記ボルト受体に対する前記ボルト体の回動を規制する杆部とを有するものである。
【００１１】
そして、回り止め兼キャップ体のキャップ部にてボルト受体の端面開口部を確実に閉鎖可能であり、回り止め兼キャップ体の杆部にてボルト受体に対するボルト体の回動を確実に規制可能である。
【発明の効果】
【００１２】
請求項１に係る発明によれば、ボルト受体のパッキング用周溝部内に配設されチェーンケース内の油がボルト受体およびボルト体間の隙間から漏れ出すのを防止するパッキング体を備えるため、チェーンケース内の油の漏れを適切に防止できる。
【００１３】
請求項２に係る発明によれば、ボルト受体に対するボルト体の回動を規制するとともにボルト受体の端面開口部を閉鎖する回り止め兼キャップ体を備えるため、回り止め部材とキャップ部材とをそれぞれ別体にした場合に比べて、部品点数を少なくでき、組立て作業を容易にできる。
【００１４】
請求項３に係る発明によれば、回り止め兼キャップ体のキャップ部にてボルト受体の端面開口部を確実に閉鎖でき、回り止め兼キャップ体の杆部にてボルト受体に対するボルト体の回動を確実に規制できる。
【発明を実施するための最良の形態】
【００１５】
本発明のタイトナ押し装置の一実施の形態を図面を参照して説明する。
【００１６】
図１および図２において、11は農作業機で、この農作業機11は、例えば走行車であるトラクタ（図示せず）の後部に連結され、このトラクタの走行により圃場上を移動しながら耕耘作業をするサイドドライブ式のロータリ耕耘装置である。
【００１７】
農作業機11は、トラクタの後部の３点リンク部に連結される機体12を備えている。
【００１８】
機体12は、入力軸13を回転可能に軸支したギアボックス部14を有し、このギアボックス部14の側面から左右方向に細長いパイプ状の主フレーム部15が突出している。主フレーム部15の一端部には略箱状のチェーンケース16の上端部が取り付けられ、主フレーム部15の他端部には略板状のブラケット17の上端部が取り付けられている。チェーンケース16の下端部およびブラケット17の下端部間には、左右方向の耕耘軸21とこの耕耘軸21に放射状に取り付けられた複数の耕耘爪22とにて構成された耕耘手段23が回転可能に設けられている。
【００１９】
また、チェーンケース16の上端部内には伝動軸25の端部に固着されたスプロケット26が配設され、チェーンケース16の下端部内には耕耘軸21の端部に固着されたスプロケット27が配設されている。チェーンケース16内で互いに離間対向したスプロケット26，27には、無端状のチェーン28が回転可能に巻き掛けられている。
【００２０】
そして、チェーンケース16内のチェーン28は、チェーンケース16に取り付けられたタイトナ押し装置30にて押されてチェーン28の一部に当接したタイトナ31によって所望の張力が付与されている。タイトナ31は、チェーンケース16内においてタイトナ保持部32にて回動自在に保持されている。なお、伝動軸25、スプロケット26，27およびチェーン16等にて動力伝達手段29が構成され、この動力伝達手段29にて入力軸13からの動力が耕耘手段23の耕耘軸21まで伝達される。
【００２１】
ここで、タイトナ押し装置30は、チェーン28の張力を調節可能なもので、図３ないし図９にも示すように、チェーンケース16に形成された開口部40の内周側に嵌合保持された略円筒状で両端面開口状のボルト受体41を備えている。
【００２２】
ボルト受体41は、略円筒状の第１筒状部42とこの第１筒状部42に固着されこの第１筒状部42より径小な略円筒状の第２筒状部43とにて一体に構成され、内周面にねじ溝部44、１本のパッキング用周溝部45および軸方向に延びる２本の内溝部46を有し、外周面にキャップ用周溝部47および嵌合段部48を有している。
【００２３】
ねじ溝部44は、第１筒状部42の内周面略全体にわたって形成されている。
【００２４】
パッキング用周溝部45は、チェーンケース16内に位置する第２筒状部43の第１筒状部42側とは反対側の軸方向端部の内周面に形成されている。
【００２５】
内溝部46は、第１筒状部42の内周面の互いに対向する位置にこの第１筒状部42の内周面の略全長にわたって形成されており、これら２本の内溝部46にてボルト受体41のねじ溝部44の一部が切り欠かれた状態となっている。
【００２６】
キャップ用周溝部47は、第１筒状部42の第２筒状部43側とは反対側の軸方向端部の外周面に形成されている。
【００２７】
嵌合段部48は、第１筒状部42の第２筒状部43側の軸方向端部の外周面に形成され、この嵌合段部48がチェーンケース16の開口部40の開口周縁部分に嵌合され、このチェーンケース16の開口部40の開口周縁部分にてボルト受体41が保持されている。
【００２８】
また、タイトナ押し装置30は、ボルト受体41のチェーンケース16外で開口する端面開口部49からボルト受体41内に挿入されボルト受体41のねじ溝部44に螺合されチェーンケース16内のタイトナ31をチェーン28側に向けて押してチェーン28に所望の張力を付与するボルト体51を備えている。
【００２９】
ボルト体51は、ボルト受体41の第２筒状部43の内周側に嵌合され先端部がタイトナ31に当接する丸軸状の軸部52と、この軸部52の基端に設けられた頭部53とにて一体に構成されている。頭部53の外周面略全体にはねじ溝部54が形成されている。また、頭部53の外周面の２箇所の位置には、軸方向に延びる外溝部55が頭部53の略全長にわたって形成されており、これら２本の外溝部55にてボルト体51のねじ溝部54の一部が切り欠かれた状態となっている。さらに、頭部55には、ボルト体51を工具（図示せず）で回転操作するための六角状の孔部56が形成されている。
【００３０】
さらに、タイトナ押し装置30は、ボルト受体41の第２筒状部43のパッキング用周溝部45内に配設されボルト体51の軸部52の外周面に密着しチェーンケース16内の油がボルト受体41の第２筒状部43の内周面とボルト体51の軸部52の外周面との間の隙間から漏れ出すのを防止する円形環状で断面円形状のパッキング体（例えばゴム製のＯリング等）60を備えている。
【００３１】
また、タイトナ押し装置30は、ボルト受体41のキャップ用周溝部47に脱着可能に取着されボルト受体41に対するボルト体51の回動を規制するとともにボルト受体41の端面開口部49を閉鎖する回り止め兼キャップ体61を備えている。
【００３２】
回り止め兼キャップ体61は、ボルト受体41のキャップ用周溝部47に脱着可能に取着されボルト受体41の端面開口部49を閉鎖する略円板状のキャップ部62と、このキャップ部62から突出し互いに一致した内溝部46内および外溝部55内に挿通されボルト受体41に対するボルト体51の回動を規制する１本の杆部63とにて一体に構成されている。
【００３３】
キャップ部62は、円板状部分64を有し、この円板状部分64の外周部からは、ボルト受体41のキャップ用周溝部47に係脱可能に引掛り係合するフック状の環状部分65が一体に突出している。環状部分65は、円板状部分64側に向って徐々に縮径した截頭円錐面状のガイド面66を有している。断面円形をなす杆部63は、キャップ部62の円板状部分64の中心からずれた位置から突出している。杆部63の長さ寸法はボルト受体41の第１筒状部42の長さ寸法と略等しく、杆部63の先端は回り止め兼キャップ体61がボルト受体41に取り付けられた状態では第２筒状部43の近傍に位置する。
【００３４】
次に、上記一実施の形態のタイトナ押し装置30の作用等を説明する。
【００３５】
農作業機11のチェーンケース16内のチェーン28の張力を調節する場合は、回り止め兼キャップ体61をボルト受体41のキャップ用周溝部47から取り外してボルト受体41の端面開口部49を開口させ、図示しない工具をその端面開口部49からボルト受体41内に差し込み、その工具の先端部をボルト体51の頭部53の孔部56に嵌入する。
【００３６】
そして、チェーンケース16に固着されたボルト受体41に対してボルト体51を所望量回動させることにより、タイトナ31を回動させてチェーンケース16内のチェーン28の張力を所望の張力に設定する。
【００３７】
また一方、チェーンケース16内にはチェーン28の回転を円滑にするための油が貯留されているが、ボルト受体41の内周面とボルト体51の外周面との間にはパッキング体60が装着されているため、チェーンケース16内の油がボルト受体41の第２筒状部43の内周面とボルト体51の軸部52の外周面との間の隙間からチェーンケース16外へ漏れ出すようなことがない。
【００３８】
このように上記タイトナ押し装置30によれば、チェーン28の張力調節が容易であるばかりでなく、ボルト受体41のパッキング用周溝部45内に配設されチェーンケース16内の油がボルト受体41およびボルト体51間の隙間からチェーンケース16外へ漏れ出すのを防止するパッキング体60を備えるため、チェーンケース16内の油の漏れを適切に防止できる。
【００３９】
また、ボルト受体41に対するボルト体51の回動を規制するとともにボルト受体41の端面開口部49を閉鎖する回り止め兼キャップ体61を備えるため、回り止め部材とキャップ部材とをそれぞれ別体にした場合に比べて、部品点数を少なくでき、組立て作業を容易にできる。
【００４０】
なお、上記実施の形態では、ボルト受体41、ボルト体51、パッキング体60、および回り止め兼キャップ体61にて構成されたものについて説明したが、例えば図１０に示すように、ボルト受体41、ボルト体51、パッキング体60、およびボルト体51をボルト受体41に対してロックするロックナット71にて構成されたものでもよい。
【００４１】
このボルト受体41は、略円筒状のもので、チェーンケース16の開口部40の内周側に嵌合され、軸方向一端部内周面にはねじ溝部44が形成され、軸方向他端部内周面にはパッキング用周溝部45が形成されている。また、ボルト体51は、軸部72、ねじ部73および頭部74にて構成されたもので、ボルト受体41のねじ溝部44に螺合されタイトナ31をチェーン28側に向けて押してチェーン28に所望の張力を付与する。そして、パッキング体60は、ボルト受体41のパッキング用周溝部45内に配設されチェーンケース16内の油がボルト受体41およびボルト体51間の隙間から漏れ出すのを防止する。
【００４２】
また、例えばボルト受体41の内溝部46の本数、ボルト体51の外溝部55の本数は２本には限定されず、１本或いは３本以上でもよい。
【００４３】
さらに、例えばボルト受体41の内周面にパッキング用周溝部45を複数本設け、各パッキング用周溝部45にパッキング体60を装着するようにしてもよい。
【図面の簡単な説明】
【００４４】
【図１】本発明のタイトナ押し装置の一実施の形態を備えた農作業機の要部断面図である。
【図２】同上農作業機の要部側面図である。
【図３】同上タイトナ押し装置の断面図である。
【図４】同上タイトナ押し装置のボルト受体の側面図である。
【図５】同上タイトナ押し装置のボルト受体の断面図である。
【図６】同上タイトナ押し装置のボルト体の側面図である。
【図７】同上タイトナ押し装置のボルト体の断面図である。
【図８】同上タイトナ押し装置の回り止め兼キャップ体の側面図である。
【図９】同上タイトナ押し装置の回り止め兼キャップ体の断面図である。
【図１０】本発明のタイトナ押し装置の他の実施の形態を示す断面図である。
【図１１】従来のタイトナ押し装置を備えた農作業機の要部側面図である。
【符号の説明】
【００４５】
16    チェーンケース
28    チェーン
30    タイトナ押し装置
31    タイトナ
40    開口部
41    ボルト受体
44    ねじ溝部
45    パッキング用周溝部
46    内溝部
49    端面開口部
51    ボルト体
55    外溝部
60    パッキング体
61    回り止め兼キャップ体
62    キャップ部
63    杆部
【図１】
2006197869.tif 000003
【図２】
2006197869.tif 000004
【図３】
2006197869.tif 000005
【図４】
2006197869.tif 000006
【図５】
2006197869.tif 000007
【図６】
2006197869.tif 000008
【図７】
2006197869.tif 000009
【図８】
2006197869.tif 000010
【図９】
2006197869.tif 000011
【図１０】
2006197869.tif 000012
【図１１】
2006197869.tif 000013